(57)【特許請求の範囲】
【請求項１】
ネットワークを介して画像データを受信する画像受信装置であって、
前記画像データのサムネイル画像データを、前記画像データに先立って受信する手段と、
前記画像データの受信の進行程度を取得する進行状況取得手段と、
前記画像データの受信中において、前記サムネイル画像データに基づく画像を所定の表示部に表示させ、当該画像の表示状態を前記画像データの受信の進行程度に応じて部分的に変更するように、表示出力を制御する表示制御手段と、
を備えることを特徴とする画像受信装置。
【請求項２】
請求項１に記載の画像受信装置において、
前記表示制御手段は、前記サムネイル画像データに基づく画像の全体を所定の表示部に表示させた上で、当該画像の表示状態を前記画像データの受信の進行程度に応じて部分的に変更するように、表示出力を制御することを特徴とする画像受信装置。
【請求項３】
請求項１または請求項２に記載の画像受信装置において、
前記表示制御手段は、前記画像データの受信中において、前記サムネイル画像データに基づく画像のコントラストを前記画像データの受信の進行程度に応じて部分的に変更することを特徴とする画像受信装置。
【請求項４】
請求項１または請求項２に記載の画像受信装置において、
前記表示制御手段は、前記画像データの受信中において、前記サムネイル画像データに基づく画像の表示色を前記画像データの受信の進行程度に応じて部分的に変更することを特徴とする画像受信装置。
【請求項５】
請求項１から請求項４のいずれかに記載の画像受信装置において、
前記画像データは、圧縮されたデータであることを特徴とする画像受信装置。
【請求項６】
ネットワークを介して画像データの送受信を行う画像通信システムであって、
画像データを送信する画像送信装置と、
前記画像送信装置から送信されてきた前記画像データをネットワークを介して受信する画像受信装置と、
を備え、
前記画像送信装置は、
前記画像データのサムネイル画像データを、前記画像データに先立って送信する手段、
を有し、
前記画像受信装置は、
前記画像データのサムネイル画像データを、前記画像データに先立って受信する手段と、
前記画像データの受信の進行程度を表す受信完了度を取得する取得手段と、
前記画像データの受信中において、前記サムネイル画像データに基づく画像を所定の表示部に表示させ、当該画像の表示状態を前記受信完了度に応じて部分的に変更するように、表示出力を制御する表示制御手段と、
を有することを特徴とする画像通信システム。
【発明の詳細な説明】
【０００１】
【発明の属する技術分野】
本発明は、画像データを送受信する画像通信システム、およびそれに関連する技術に関する。
【０００２】
【背景技術】
様々な機器がネットワークに接続されるようになり、これらの機器の相互間で様々なデータが転送されることが行われている。このような転送においては、文書データにとどまらず、画像データ（静止画データおよび動画データ）などが転送されている。たとえば、デジタルカメラなどにより撮像された画像データを、ネットワークを介して転送することが行われている。
【０００３】
【発明が解決しようとする課題】
近年のデジタルカメラの高画素化に伴い、静止画像データのデータサイズが増大している。そのため、大きなサイズの画像データの転送が行われることが多くなってきている。また、動画像データについても同様であり、画質向上の要請等によって、その転送対象データのサイズがさらに増大する傾向にある。
【０００４】
そして、このような大量のデータを送信するのに十分高速なネットワーク環境が完備されていない現状に鑑みれば、このような大きなサイズの画像データを転送するためには、一般に長い時間がかかってしまうことになる。
【０００５】
このような場合において、データ送信側の装置の操作者は、データ送信中においてその進行状態を把握することができないため、使いづらい状況になっている。同様に、データ受信側の装置の操作者も、データ受信中においてその進行状態がわからないため、使いづらい状況になっている。このように、画像データの通信の進行状態が不明であることに起因して、各装置の操作者の操作性が低下してしまうという問題がある。
【０００６】
そこで、本発明は前記問題点に鑑み、ネットワークを介した画像データの通信に際して、画像データの通信の進行状態をわかりやすく表示する画像通信システム、画像送信装置、および画像受信装置を提供することを目的とする。
【０００７】
【課題を解決するための手段】
上記目的を達成するため、請求項１の発明は、ネットワークを介して画像データを受信する画像受信装置であって、前記画像データのサムネイル画像データを、前記画像データに先立って受信する手段と、前記画像データの受信の進行程度を取得する進行状況取得手段と、前記画像データの受信中において、前記サムネイル画像データに基づく画像を所定の表示部に表示させ、当該画像の表示状態を前記画像データの受信の進行程度に応じて部分的に変更するように、表示出力を制御する表示制御手段とを備えることを特徴とする。
【０００８】
請求項２の発明は、請求項１の発明に係る画像受信装置において、前記表示制御手段は、前記サムネイル画像データに基づく画像の全体を所定の表示部に表示させた上で、当該画像の表示状態を前記画像データの受信の進行程度に応じて部分的に変更するように、表示出力を制御することを特徴とする。
【０００９】
請求項３の発明は、請求項１または請求項２の発明に係る画像受信装置において、前記表示制御手段は、前記画像データの受信中において、前記サムネイル画像データに基づく画像のコントラストを前記画像データの受信の進行程度に応じて部分的に変更することを特徴とする。
【００１０】
請求項４の発明は、請求項１または請求項２の発明に係る画像受信装置において、前記表示制御手段は、前記画像データの受信中において、前記サムネイル画像データに基づく画像の表示色を前記画像データの受信の進行程度に応じて部分的に変更することを特徴とする。
【００１１】
請求項５の発明は、請求項１から請求項４のいずれかに記載の画像受信装置において、前記画像データは、圧縮されたデータであることを特徴とする。
請求項６の発明は、ネットワークを介して画像データの送受信を行う画像通信システムであって、画像データを送信する画像送信装置と、前記画像送信装置から送信されてきた前記画像データをネットワークを介して受信する画像受信装置とを備え、前記画像送信装置は、前記画像データのサムネイル画像データを、前記画像データに先立って送信する手段、を有し、前記画像受信装置は、前記画像データのサムネイル画像データを、前記画像データに先立って受信する手段と、前記画像データの受信の進行程度を表す受信完了度を取得する取得手段と、前記画像データの受信中において、前記サムネイル画像データに基づく画像を所定の表示部に表示させ、当該画像の表示状態を前記受信完了度に応じて部分的に変更するように、表示出力を制御する表示制御手段とを有することを特徴とする。
【００１２】
【発明の実施の形態】
以下、本発明の実施形態を図面に基づいて説明する。
【００１３】
＜Ａ．第１実施形態＞
＜Ａ１．システム構成＞
図１は、本発明に係る画像通信システムを含む構成図であり、画像送信装置および／または画像受信装置として機能する各機器がネットワークＮＷに接続されている状況が示されている。ここでは、デジタルカメラ、撮影機能を有する携帯電話、あるいはＰＤＡ（Ｐｅｒｓｏｎａｌ  Ｄｉｇｉｔａｌ  Ａｓｓｉｓｔａｎｔ）、セットトップボックス（ＳＴＢ：Ｓｅｔ  Ｔｏｐ  Ｂｏｘ）、ＤＶＤ−ＲＡＭ装置、パーソナルコンピュータ（ＰＣ１）が示されている。これらの各機器は、画像送信装置として機能するように構成されてもよく、画像受信装置として機能するように構成されてもよい。さらには、画像送信装置および画像受信装置の両方として機能するように構成されても良い。
【００１４】
これらの各機器は、ネットワークＮＷに接続されている。ここで、「ネットワーク」とは、データ通信を行う通信回線網であり、具体的には、インターネット、ＬＡＮ、ＷＡＮ、ＣＡＴＶ、ＩＣＮ（Ｉｎｔｅｒ−Ｃｏｍｍｕｎｉｔｙ  Ｎｅｔｗｏｒｋ）などの、電気通信回線（光通信回線を含む）により構成される各種の通信回線網である。ネットワークに対する接続形態は、専用回線などを利用した常時接続であってもよいし、アナログ回線あるいはデジタル回線（ＩＳＤＮ）などの電話回線を利用したダイアルアップ接続などの一時的な接続のいずれであってもよい。また、その伝送方式は、無線方式および有線方式のいずれであってもよい。
【００１５】
各機器は、ネットワークＮＷを介して画像データを含む各種データの送受信を行う。具体的には、或る機器（たとえばデジタルカメラ）が画像送信装置として機能し、画像受信装置として機能する別の機器へと画像データをネットワークを介して転送（送信）する。一方、画像受信装置は、画像送信装置から送信されてきた画像データをネットワークを介して受信する。このような画像データの送受信においては、この画像送信装置およびこの画像受信装置の組（ペア）が、画像通信システムを構成する。なお、画像データは、静止画像データであってもよく、動画像データであってもよい。
【００１６】
以下では、デジタルカメラ１を画像送信装置として用い、パーソナルコンピュータＰＣ１を画像受信装置として用いる場合を例示する。
【００１７】
＜Ａ２．デジタルカメラ＞
図２は、デジタルカメラ１の斜視図である。また、図３は、デジタルカメラ１の背面図である。
【００１８】
デジタルカメラ１は、その正面に、被写体像をＣＣＤ（Ｃｈａｒｇｅ  Ｃｏｕｐｌｅｄ  Ｄｅｖｉｃｅ）１３（破線部）に結像させる撮影レンズ１１と、ユーザが被写体を視認するためのファインダ窓７ａと、フラッシュＦＬとが設けられている。ＣＣＤ１３は、撮影レンズ１１によって結像された光学像を電気信号に変換し、被写体の画像データを生成する。
【００１９】
デジタルカメラ１は、その上面に、ユーザが撮影を指示するためのレリーズボタン３と、２つの撮影モード設定キー４と、撮影に関する表示を行う液晶パネル５と、ズームキー６とを備えるとともに、その側面に、ネットワーク接続用インターフェイス８と、記録媒体として機能するメモリカード９を挿入するための挿入口９０とを備えている。また、デジタルカメラ１は、その背面に、正面のファインダ窓７ａに対応するファインダ窓７ｂと、画像データ等を表示する液晶モニタ１７と、液晶モニタ１７に表示されるカーソルを昇降移動するためのカーソルキー１９とを備えている。
【００２０】
デジタルカメラ１は、メモリカード９に撮影画像を記録すること、メモリカード９に記録された画像を液晶モニタ１７等に表示すること、およびメモリカード９に記録された画像を他の機器にネットワークを介して送信することなどが可能である。
【００２１】
また、液晶モニタ１７は、撮影時にはライブビュー表示を行うとともに、再生時にはメモリカード９に格納されていた画像を表示することができる。さらには、液晶モニタ１７は、画像データ送信時には、後述するように、送信対象画像を表示することができる。なお、送信対象画像は、メモリカード９から読み出した画像データに基づいて表示される。
【００２２】
図４は、デジタルカメラ１の機能ブロックを示す図である。
【００２３】
デジタルカメラ１は、ＣＣＤ１３、Ａ／Ｄ変換部１４、画像処理部１５、圧縮部１６、液晶モニタ１７、メモリカード（画像記録媒体）９、ネットワーク接続用インターフェイス８、およびＣＰＵ３０を備えている。
【００２４】
撮影レンズ１１を通過してきた光は、ＣＣＤ１３において結像する。ＣＣＤ１３は、光電変換作用により、光学像を電気信号に変換する。この電気信号は、Ａ／Ｄ変換部１４によって、アナログ信号からデジタル信号に変換された後、画像処理部１５によって所定の画像処理が施され、画像データとして生成される。ライブビュー作成部２１は、この画像データに基づいて、ライブビュー画像を作成する。このライブビュー画像は、撮影時においてレリーズボタン３が押下されるまで液晶モニタ１７において連続的に表示される。
【００２５】
また、レリーズボタン３が押下されると、本撮影動作が開始され、押下時点の画像データが撮影画像として取得される。取得された画像データは、圧縮部１６によって所定の形式で圧縮された後、メモリカード９に格納される。
【００２６】
さらに、デジタルカメラ１は、メモリカード９に格納された撮影画像データを、ネットワーク接続用インターフェイス８を介して、他の機器にネットワークを介して送信することもできる。
【００２７】
具体的には、上述したように、デジタルカメラ１は、ネットワーク接続用インターフェイス８を有している。このネットワーク接続用インターフェイス８に所定のネットワークケーブルを接続することによって、デジタルカメラ１はＬＡＮに接続することができる。そして、デジタルカメラ１は、このＬＡＮを介してインターネットにも接続することが可能である。したがって、デジタルカメラ１は、ＬＡＮ内の機器に対してのみならず、インターネットに接続された様々な機器に対して、ネットワークを介して画像データを送信することができる。
【００２８】
また、このデジタルカメラ１の液晶モニタ１７は、撮影された画像データに基づく画像を表示することが可能である。後述するように、この液晶モニタ１７においては、送信中の画像が表示される。より具体的には、画像データの送信中において、その送信中の画像データに基づく画像が液晶モニタ１７に表示される。また、その表示は、「送信完了度」に応じて画像の表示状態を部分的に変更しつつ行われる。ここで、「送信完了度」は、画像データの送信の進行程度を表す指標であり、たとえば、画像データの全データ量ＳＴに対する、送信が既に完了したデータ量ＳＣの割合として表現することができる。すなわち、送信完了度ＳＲは、ＳＲ＝ＳＣ／ＳＴ、として表現できる。この送信完了度ＳＲは、ＣＰＵ３０によって算出される。また、液晶モニタ１７におけるこのような表示出力の制御は、ＣＰＵ３０によって行われる。
【００２９】
このように、ＣＰＵ３０は、画像データの送信の進行程度を表す送信完了度ＳＲを取得する機能、および送信完了度ＳＲに応じて画像の表示を部分的に変更する機能等を有している。
【００３０】
＜Ａ３．パーソナルコンピュータ＞
図５は、パーソナルコンピュータＰＣ１のハードウエア構成を示すブロック図である。パーソナルコンピュータＰＣ１は、図５に示すように、ハードウエア的には、ＣＰＵ６２と、ＲＡＭ（および／またはＲＯＭ）などの半導体メモリにより構成される主記憶部およびハードディスクドライブ（ＨＤＤ）などの補助記憶部を有する記憶部６３と、メディアドライブ６４と、ディスプレイなどの表示部６５と、キーボードおよびマウスなどの入力部６６、ネットワークカードなどの通信部６７とを備えるコンピュータシステム（以下、単に「コンピュータ」とも称する）として構成される。
【００３１】
パーソナルコンピュータＰＣ１は、通信部６７を介した無線若しくは有線のデータ通信等によってネットワークを介してデジタルカメラ１との間でデータの授受が可能なように構成される。また、このようなデータ通信において受け取られた画像データは、記憶部６３等に格納される。
【００３２】
また、メディアドライブ６４は、ＣＤ−ＲＯＭ、ＤＶＤ（Ｄｉｇｉｔａｌ  Ｖｅｒｓａｔｉｌｅ  Ｄｉｓｋ）、フレキシブルディスク、メモリカードなどの可搬性の記録媒体６９からその中に記録されている情報を読み出す。
【００３３】
このパーソナルコンピュータＰＣ１は、記録媒体６９に記録されたソフトウエアプログラム（以下、単に「プログラム」とも称する）を読み込み、そのプログラムをＣＰＵ６２等を用いて実行することによって、画像受信装置として機能する。具体的には、この画像受信装置は、（１）画像データを受信する機能、（２）画像データの受信の進行程度を表す受信完了度を取得する機能、および（３）画像データの受信中において画像データに基づく画像の表示状態を受信完了度に応じて部分的に変更しつつその画像を表示部（ディスプレイ）６５に表示するように表示出力を制御する機能等を有している。ここで、「受信完了度」は、画像データの受信の進行程度を表す指標であり、たとえば、画像データの全データ量（データサイズ）ＳＴに対する、受信が既に完了したデータ量ＤＣの割合として表現することができる。すなわち、受信完了度ＤＲは、ＤＲ＝ＤＣ／ＳＴ、として表現できる。
【００３４】
なお、各機能を有するプログラムは、記録媒体６９を介して供給（ないし配給）される場合に限定されず、ＬＡＮおよびインターネットなどのネットワークを介して、このコンピュータに対して供給（ないし配給）されてもよい。
【００３５】
＜Ａ４．動作＞
図６および図７は、第１実施形態に係る動作を示すフローチャートである。図６は、送信側のデジタルカメラ１における動作を示すフローチャートであり、図７は、そのうちの一部（ステップＳＰ１０）の動作を示すフローチャートである。また、図７においては、受信側のパーソナルコンピュータＰＣ１における動作も併せて示されている。さらに、図８〜図１１は、送信側のデジタルカメラ１の液晶モニタ１７における表示画面を示す図であり、図１２〜図１５は、受信側のパーソナルコンピュータＰＣ１のディスプレイ６５における表示画面を示す図である。
【００３６】
ステップＳＰ１（図６）において、デジタルカメラ１は、画像選択用画面を液晶モニタ１７に表示する。そして、デジタルカメラ１の操作者が、この選択用画面に表示された複数枚の画像の中から１枚の画像を送信対象（転送対象）として選択すると、デジタルカメラ１は、この選択された画像を送信対象画像として特定する。
【００３７】
ステップＳＰ２において、デジタルカメラ１は、液晶モニタ１７に転送を開始して良いか否かを問い合わせる画面を表示し、操作者からの指示を受け付ける状態となる。そして、操作者によって転送開始の指示が入力されると、ステップＳＰ１０に移行して画像データ転送処理（画像データ送信処理）が開始される。なお、操作者は、送信対象画像を変更したい場合にはステップＳＰ１に戻って再び送信対象画像の選択動作を行うことができる。
【００３８】
ステップＳＰ１０の動作については次述する。
【００３９】
また、ステップＳＰ１０の転送動作が終了すると、ステップＳＰ４に進む。ステップＳＰ４においては、デジタルカメラ１は、操作者からの転送動作の完了指示入力を受け付けると、この完了指示入力に応答して、この転送動作を終了する。一方、操作者からの転送動作の継続指示入力を受け付けると、この継続指示入力に応答して、再びステップＳＰ１に戻り、同様の転送動作を繰り返す。
【００４０】
次に、ステップＳＰ１０の動作について図７を参照しながら詳細に説明する。
【００４１】
まず、ステップＳＰ１１において、デジタルカメラ１は、転送対象画像の画像データのデータサイズ（データ量）ＳＴを算出する。このデータサイズＳＴは、本来の画像よりも画素数を少なくしたサムネイル画像データのサイズではなく、その画像の本来の画素数（画素サイズ）を有する画像データ（フルサイズ画像データ）のデータサイズである。算出されたデータサイズＳＴの情報は、後述する送信完了度ＳＲの演算等に用いられる。
【００４２】
次に、ステップＳＰ１２において、デジタルカメラ１は、受信側のパーソナルコンピュータＰＣ１に対して、受信準備が完了しているか否かを問い合わせる。これに対して、パーソナルコンピュータＰＣ１は、デジタルカメラ１にその問い合わせに対する結果を返信する（ステップＳＰ３１）。
【００４３】
デジタルカメラ１は、パーソナルコンピュータＰＣ１の準備が完了していない旨の結果を受信した場合には、転送が出来ない旨の転送不可表示を液晶モニタ１７に表示して（ステップＳＰ１３）、ステップＳＰ４（図６）に進む。一方、デジタルカメラ１は、パーソナルコンピュータＰＣ１の準備が完了している旨の結果を受信した場合には、次のステップＳＰ１４に進む。
【００４４】
また、パーソナルコンピュータＰＣ１は、受信準備が完了している場合には、パーソナルコンピュータＰＣ１内の画像データ保管用領域の残存量に関する情報をもデジタルカメラ１に向けて送信する（ステップＳＰ３２）。
【００４５】
そして、デジタルカメラ１は、ステップＳＰ１４において、転送された画像データを保存するのに十分な領域がパーソナルコンピュータＰＣ１に残存しているか否かを判定する。具体的には、パーソナルコンピュータＰＣ１からの情報に含まれていた「残存量」と、算出された「画像データサイズＳＴ」とを比較する。たとえば、画像データサイズＳＴに所定のマージン値を加えた値よりも残存量が大きいときには、十分な残存量が存在すると判定する。
【００４６】
この結果、十分な容量が残存していないと判定された場合には、容量が不足している旨の表示（容量不足表示）が液晶モニタ１７に表示され（ステップＳＰ１５）、ステップＳＰ４に進む。一方、十分な容量が残存していると判定された場合には、次のステップＳＰ１６に進む。
【００４７】
ステップＳＰ１６においては、デジタルカメラ１は、本来の画像サイズの画像データの送信（ステップＳＰ１８）に先立って、上記のデータサイズＳＴとサムネイル画像データとを送信する。サムネイル画像データは本来の画像サイズの画像データに比べて非常に小さなデータ量であるため、上記送信に要する時間は非常に短い。サムネイル画像データとしては、あらかじめ作成されていたものが存在する場合にはそれを用いればよく、あらかじめ作成されたものが未だ存在しない場合にはこの時点で新たに作成したものを用いればよい。
【００４８】
一方、パーソナルコンピュータＰＣ１は、送信されてきたデータサイズＳＴとサムネイル画像データとを受信する（ステップＳＰ３３）。なお、後のステップにおいて、パーソナルコンピュータＰＣ１は、受信したデータサイズＳＴに基づいて受信完了度ＤＲを算出し、受信したサムネイル画像データに基づいてディスプレイ６５における表示を行うことになる。
【００４９】
次に、デジタルカメラ１は、液晶モニタ１７に「送信中」の文字（図８等を参照）を表示する（ステップＳＰ１７）とともに、所定量の画像データをパーソナルコンピュータＰＣ１に向けて送信する（ステップＳＰ１８）。そして、デジタルカメラ１は、送信完了度ＳＲに基づいて画面表示を変更する（ステップＳＰ１９）。そして、ステップＳＰ２０において、画像データの転送が全て完了したと判定されるまで、ステップＳＰ１７，ＳＰ１８，ＳＰ１９の動作が繰り返される。そして、デジタルカメラ１は、ステップＳＰ２０において、画像データの転送が全て完了したと判定すると、転送が完了した旨の表示（転送済表示）を液晶モニタ１７に表示し（ステップＳＰ２１）、一連の画像データ転送処理を終了して、ステップＳＰ４に進む。
【００５０】
ここにおいて、図８〜図１１に示すように、デジタルカメラ１は、画像の送信中においては、送信対象の画像データに基づく画像を液晶モニタ１７に表示する。具体的には、デジタルカメラ１は、この送信対象の画像データに基づく画像として、送信対象の画像データについてのサムネイル画像データに基づく画像を、液晶モニタ１７に表示するものとする。この場合、送信対象画像そのものが液晶モニタ１７に表示されるので、操作者は、いずれの画像が送信中であるかを容易に確認できる。また、サムネイル画像データは、フルサイズ画像データに比べて画素数が少ないので、ハードウエア処理における負担を低減することもできる。
【００５１】
図８に示すように、最初は、送信対象の画像の全部（全体）が表示されている。その後、時間の経過とともに送信完了度ＳＲが増大していくと、各時点の送信完了度ＳＲに応じて画像の表示の有無が部分的に変更されていく。言い換えれば、液晶モニタ１７においては、送信が完了した割合に相当する部分が徐々に画面から消えていくような表示が行われる。
【００５２】
具体的には、送信完了度ＳＲが５０％になると、図９に示すように、画像の上半分が消去され、画像の下半分のみが表示されている状態になる。その後、さらに送信完了度ＳＲが増大して送信完了度ＳＲが７５％になると、図１０に示すように、画像の上側４分の３が消去され、画像の下側４分の１のみが表示されている状態になる。そして、送信完了度ＳＲが１００％に到達し画像の転送が完全に終了すると、図１１に示すように、液晶モニタ１７において、「画像の転送が終了しました」などの文字が転送済表示として表示される（ステップＳＰ２１）。このとき、「送信中」の文字は消去される。
【００５３】
このように、送信中の画像の表示状態が送信完了度ＳＲに応じて部分的に変更されるので、操作者は送信の進行程度を容易に把握することが可能である。特に、液晶モニタ１７における表示は、送信が完了した割合に相当する部分が画面から徐々に消えていくようなものであるので、直感的にわかりやすいものとなっている。
【００５４】
なお、送信完了度ＳＲは、ステップＳＰ１８における所定量のデータ転送毎に再計算されるが、より正確な数値を算出するためには、所定量の画像データを単に送出した時点を基準にして送信完了データ量を決定するのではなく、受信側のパーソナルコンピュータＰＣ１からの受信確認通知（受信確認パケット等）を受領した時点を基準にして、その送信データの送信が完了したものとみなすことが好ましい。
【００５５】
次に、受信側のパーソナルコンピュータＰＣ１における表示動作について説明する。
【００５６】
パーソナルコンピュータＰＣ１は、デジタルカメラ１からの画像データを受信すると、ディスプレイ６５に「受信中」の文字（図１２等を参照）を表示する（ステップＳＰ３４）。その後、パーソナルコンピュータＰＣ１は、デジタルカメラ１からの所定量の画像データを受信する（ステップＳＰ３５）と、受信完了度ＤＲを算出し、算出した受信完了度ＤＲに基づいて画面表示を変更する（ステップＳＰ３６）。そして、ステップＳＰ３７において、画像データの転送が全て完了したと判定されるまで、ステップＳＰ３４，ＳＰ３５，ＳＰ３６の動作が繰り返される。そして、パーソナルコンピュータＰＣ１は、ステップＳＰ３７において、画像データの転送が全て完了したと判定すると、転送が完了した旨の表示（転送済表示）をディスプレイ６５に表示し（ステップＳＰ３８）、一連の画像データ受信処理を終了する。
【００５７】
ここにおいて、図１２〜図１５に示すように、パーソナルコンピュータＰＣ１は、画像の受信中においては、受信対象の画像データに基づく画像をディスプレイ６５に表示する。具体的には、パーソナルコンピュータＰＣ１は、ステップＳＰ３３で受信したサムネイル画像データに基づく画像を、受信対象の画像データに基づく画像として表示するものとする。この場合、受信対象画像そのものがディスプレイ６５に表示されるので、操作者は、いずれの画像が受信中であるかを容易に確認できる。また、サムネイル画像データは、フルサイズ画像データに比べて画素数が少ないので、ハードウエア処理における負担を低減することもできる。
【００５８】
また、図１２に示すように、最初は、「受信中」の文字のみが表示されており、画像は全く表示されていない。その後、時間の経過とともに受信完了度ＤＲが増大していくと、各時点の受信完了度ＤＲに応じて画像の表示の有無が部分的に変更されていく。言い換えれば、ディスプレイ６５においては、受信が完了した割合に相当する部分が徐々に画面に出現するような表示が行われる。
【００５９】
具体的には、受信完了度ＤＲが５０％になると、図１３に示すように、画像の上半分が表示され、画像の下半分のみが表示されていない状態になる。その後、さらに受信完了度ＤＲが増大して受信完了度ＤＲが７５％になると、図１４に示すように、画像の上側４分の３が表示され、画像の下側４分の１が表示されていない状態になる。そして、受信完了度ＤＲが１００％に到達し画像の転送が完全に終了すると、図１５に示すように、ディスプレイ６５において、全体が表示された画像が表示されるとともに、その画像の上に「画像の転送が終了しました」などの文字が転送済表示として表示される（ステップＳＰ３８）。このとき、「受信中」の文字は消去される。
【００６０】
このように、受信中の画像の表示状態が受信完了度ＤＲに応じて部分的に変更されるので、操作者は受信の進行程度を容易に把握することが可能である。特に、ディスプレイ６５における表示は、受信が完了した割合に相当する部分が徐々に画面に出現するものであるので、直感的にわかりやすいものとなっている。
【００６１】
＜Ｂ．第２実施形態＞
第２実施形態は、第１実施形態の変形例であり、送信側のデジタルカメラ１における表示態様、および受信側のパーソナルコンピュータＰＣ１における表示態様が、第１実施形態におけるものと相違する。以下では、相違点を中心に説明する。
【００６２】
図１６〜図２３は、第２実施形態に係る送信側装置および受信側装置における表示状態を示す図である。より詳細には、図１６〜図１９は、送信側のデジタルカメラ１の液晶モニタ１７における表示画面を示す図であり、図２０〜図２３は、受信側のパーソナルコンピュータＰＣ１のディスプレイ６５における表示画面を示す図である。
【００６３】
図１６〜図１９に示すように、デジタルカメラ１は、画像送信中において、サムネイル画像データに基づく画像を液晶モニタ１７に表示する。このサムネイル画像データは、送信中のフルサイズ画像と同一の画像を表現する画像データである。したがって、液晶モニタ１７においては、送信対象となっている画像が表示されることになる。これにより、操作者は、いずれの画像が送信中であるかを容易に確認できる。また、サムネイル画像データは、フルサイズ画像データに比べて画素数が少ないので、ハードウエア処理における負担を低減することもできる。
【００６４】
また、図１６に示すように、最初は、画像の全部が通常の表示態様で表示されている。その後、時間の経過とともに送信完了度ＳＲが増大していくと、各時点の送信完了度ＳＲに応じて画像のコントラストが部分的に変更されていく。より詳細には、送信が完了した割合に相当する部分のコントラストが低くなっていくような表示が行われる。
【００６５】
具体的には、送信完了度ＳＲが３０％になると、図１７に示すように、画像の上側の３０パーセントに相当する部分（図の斜線部分）においては、コントラストが低減された状態で表示され、画像の下側の７０パーセントに相当する部分においては通常のコントラストで表示される。その後、さらに送信完了度ＳＲが増大して送信完了度ＳＲが６０％になると、図１８に示すように、画像の上側の６０％に相当する部分においては低コントラスト表示がなされ、画像の下半分においては通常コントラストの表示がなされる。そして、送信完了度ＳＲが１００％に到達し画像の転送が完全に終了すると、図１９に示すように、液晶モニタ１７において、「画像の転送が終了しました」などの文字が転送済表示として表示される。このとき、「送信中」の文字は消去される。
【００６６】
このように、送信中の画像の表示状態が送信完了度ＳＲに応じて部分的に変更されるので、操作者は送信の進行程度を容易に把握することが可能である。特に、液晶モニタ１７における表示は、送信が完了した割合に相当する部分のコントラストが通常のコントラストから低コントラストへと変更されていくもの（端的に言えば、その表示画像が徐々に低コントラストになっていくもの）であるので、操作者は、画像データを送信していることを直感的に理解しやすい。また、送信中においては、コントラストの変更が加えられているものの、送信中の画像が表示され続けているので、操作者は、いずれの画像が送信されているのかを直感的に把握しやすい。
【００６７】
次に、受信側のパーソナルコンピュータＰＣ１における表示動作について説明する。
【００６８】
図２０〜図２３に示すように、パーソナルコンピュータＰＣ１は、画像受信中において、サムネイル画像データに基づく画像をディスプレイ６５に表示する。このサムネイル画像データは、受信中のフルサイズ画像と同一の画像を表現する画像データである。操作者は、ディスプレイ６５の表示内容を見ることによって、受信中の画像がいずれの画像なのかを容易に認識できる。
【００６９】
また、図２０に示すように、ディスプレイ６５においては、「受信中」の文字とともに、最初はその全体が低コントラストの画像が表示される。その後、時間の経過とともに受信完了度ＤＲが増大していくと、各時点の受信完了度ＤＲに応じて画像のコントラストが部分的に変更されていく。より具体的には、受信が完了した割合に相当する部分が、低コントラスト表示から通常コントラスト表示へと変更される。この結果、ディスプレイ６５における表示画像は、低コントラスト表示から通常コントラスト表示へと徐々に部分的に変更されていく。
【００７０】
具体的には、受信完了度ＤＲが３０％になると、図２１に示すように、画像の上側３０％に相当する部分は通常のコントラストに戻り、画像の下側７０％に相当する部分（図の斜線部分）は低コントラスト状態のままで表示される。その後、さらに受信完了度ＤＲが増大して受信完了度ＤＲが６０％になると、図２２に示すように、画像の上側６０％に相当する部分は通常のコントラストに戻り、画像の下側４０％に相当する部分は低コントラスト状態のままで表示されている状態になる。そして、受信完了度ＤＲが１００％に到達し画像の転送が完全に終了すると、図１５に示すように、ディスプレイ６５において、表示画像の全体が通常のコントラストで表示されるとともに、その画像の上に「画像の転送が終了しました」などの文字が転送済表示として表示される。一方、「受信中」の文字は消去される。
【００７１】
このように、受信中の画像の表示状態が受信完了度ＤＲに応じて部分的に変更されるので、操作者は受信の進行程度を容易に把握することが可能である。特に、ディスプレイ６５における表示は、受信が完了した割合に相当する部分のコントラストが徐々に低コントラストから通常のコントラストへと変更されていくもの（端的に言えば、その表示画像が徐々に「くっきり」としてくるもの）であるので、画像データを受信していることを直感的に理解しやすいものとなっている。また、受信中においては、コントラストの変更が加えられているものの、受信中の画像が表示され続けているので、操作者は、いずれの画像が送信されているのかを直感的に把握しやすい。
【００７２】
なお、この第２実施形態においては、送信および受信の進行程度に応じて画像のコントラストを部分的に変更する場合について例示したが、これに限定されない。たとえば、送信および受信の進行程度に応じて画像の表示色を部分的に変更するようにしても良い。具体的には、上記の図１６〜図２３における斜線部分を所定の表示色（より好ましくは低彩度の色）で表示するようにしてもよい。あるいは、上記の図１６〜図２３における斜線部分をモノクロ表示で表示するようにしてもよい。
【００７３】
＜Ｃ．第３実施形態＞
第３実施形態は、第１実施形態の変形例である。上記第１実施形態および第２実施形態においては、１枚の画像を送信する場合について説明したが、この第３実施形態においては、複数枚の画像を送信する場合について説明する。以下では、第１実施形態との相違点を中心に説明する。
【００７４】
図２４および図２５は、第３実施形態に係る動作を示すフローチャートである。図２４は、送信側のデジタルカメラ１における動作を示すフローチャートであり、図２５は、そのうちの一部の動作（ステップＳＰ１１０）を示すフローチャートである。また、図２５においては、受信側のパーソナルコンピュータＰＣ１における動作も示されている。さらに、図２６〜図２９は、デジタルカメラ１の液晶モニタ１７における表示画面を示す図であり、図３０〜図３３は、パーソナルコンピュータＰＣ１のディスプレイ６５における表示画面を示す図である。
【００７５】
図２４に示すように、デジタルカメラ１は、ステップＳＰ１０１においてカウンタＮを初期値（Ｎ＝１）に設定し、ステップＳＰ１０２においてＮ枚目の画像を選択すべき旨の要求を液晶モニタ１７に表示する。これに対して、デジタルカメラ１の操作者が、選択用画面に表示された複数枚の画像の中から１枚の画像を送信対象（転送対象）として選択すると、デジタルカメラ１は、この選択入力を受け付け、選択された画像を送信対象画像として特定する（ステップＳＰ１０３）。
【００７６】
その後、ステップＳＰ１０４において、操作者によって次の画像を選択する旨の操作入力が与えられると、デジタルカメラ１はカウンタＮの値を１つ増加させて、再びステップＳＰ１０２に戻り、ステップＳＰ１０２，ＳＰ１０３，Ｓ１０４の処理を繰り返す。
【００７７】
そして、ステップＳＰ１０４において、デジタルカメラ１は、選択処理終了の入力を受け付けると、ステップＳＰ１０６に進む。
【００７８】
ステップＳＰ１０６において、デジタルカメラ１は、液晶モニタ１７に転送を開始して良いか否かを問い合わせる画面を表示し、操作者からの転送開始指示を受け付ける状態となる。そして、操作者によって転送開始の指示が入力されると、ステップＳＰ１１０に移行して画像データ転送処理（画像データ送信処理）が開始される。なお、操作者は、送信対象画像を追加したい場合にはステップＳＰ１０４に戻って再び送信対象画像の選択動作を行うことができる。
【００７９】
また、ステップＳＰ１１０の転送動作が終了すると、ステップＳＰ１０７に進む。デジタルカメラ１は、ステップＳＰ１０７において操作者からの転送動作の完了指示入力を受け付けると、この完了指示入力に応答して、この転送動作を終了する。一方、操作者からの転送動作の継続指示入力を受け付けると、この継続指示入力に応答して、再びステップＳＰ１０１に戻り、同様の転送動作を繰り返す。
【００８０】
次に、図２５は、ステップＳＰ１１０の詳細動作を示す図である。なお、図２５においては、ステップＳＰ１０（図７）内の詳細動作と同様の動作に対しては、下二桁に図７と同一のステップ番号を付して示している。
【００８１】
図２５および図７を比較すると判るように、ステップＳＰ１１０における動作は、ステップＳＰ１０（図７）における動作とほぼ同じであるが、「送信中」の表示（ステップＳＰ１７）および「受信中」の表示（ステップＳＰ３４）を行わない点において相違する。また、送信完了度ＳＲの算出（ステップＳＰ１１９）および受信完了度ＤＲの算出（ステップＳＰ１３６）における全データ量ＳＴはＮ枚の画像データの合計値となる点などにおいても相違する。
【００８２】
ここでは、送信対象画像として、９枚の画像が選択された場合（Ｎ＝９の場合）について説明する。
【００８３】
図２６〜図２９に示すように、デジタルカメラ１は、これら９枚の画像送信中において、対応するサムネイル画像データに基づく９枚の画像を液晶モニタ１７に表示する。各サムネイル画像データは、それぞれ、送信中のフルサイズ画像と同一の画像を表現する画像データである。このように、液晶モニタ１７においては、送信対象となっている９枚の画像が表示される。したがって、操作者は、送信中の画像がいずれの画像であるのかを容易に認識できる。また、サムネイル画像データは、フルサイズ画像データに比べて画素数が少ないので、ハードウエア処理における負担を低減することもできる。
【００８４】
図２６に示すように、最初は、９枚の画像Ｇ１〜Ｇ９の全部が、それぞれ、通常の表示態様で表示されている。その後、時間の経過とともに送信完了度ＳＲが増大していくと、各時点の送信完了度ＳＲに応じて画像の表示の有無が部分的に変更されていく。より詳細には、送信が完了した割合に相当する部分の表示が消滅していくような表示が行われる。
【００８５】
たとえば、送信完了度ＳＲが約２５％となり、９枚の画像Ｇ１〜Ｇ９のうち３枚目の画像Ｇ３の半分程度までの送信が完了してるときには、図２７に示すように、送信が完了した２枚の画像Ｇ１，Ｇ２についてはそれぞれの画像表示が消去されるとともに、「転送終了」の文字がその位置に示される。また、３枚目の画像Ｇ３については、その送信の進行程度に応じて画像表示の有無が部分的に変更される。ここでは、３枚目の画像Ｇ３の上半分が消去されており、３枚目の画像Ｇ３の下半分が表示されている状態が示されている。なお、４枚目以降の画像は、未だ転送されていないので、表示されたままになっている。
【００８６】
その後、さらに送信完了度ＳＲが増大して送信完了度ＳＲが約９０％になり、９枚の画像Ｇ１〜Ｇ９のうち８枚の画像Ｇ１〜Ｇ８の送信が完了してるときには、図２８に示すように、送信が完了した８枚の画像Ｇ１〜Ｇ８についてはそれぞれの画像表示が消去されるとともに、「転送終了」の文字がその位置に示される。そして、９枚目の画像Ｇ９は、まだ転送されていないので、表示されたままになっている。
【００８７】
そして、送信完了度ＳＲが１００％に到達し画像の転送が完全に終了すると、図２９に示すように、液晶モニタ１７において、９枚全ての画像の上に「転送終了」の文字が表示されるとともに、画面全体にわたって「画像の転送が終了しました」という文字が転送済表示として表示される。
【００８８】
以上のように、送信中の画像の表示状態が送信完了度ＳＲに応じて部分的に変更されるので、操作者は送信の進行程度を容易に把握することが可能である。特に、液晶モニタ１７における表示は、送信が完了した割合に相当する部分が画面から徐々に消えていくようなものであるので、直感的にわかりやすいものとなっている。また、実際に転送対象（送信対象）となる画像が液晶モニタ１７に表示されているので、いずれの画像が転送されているのかを容易に認識できる。さらには、複数枚の画像のうち、実際に送信が完了した画像の表示が消去されるので、いずれの画像の転送動作が終了したのか（たとえば、何番目までの画像データの転送が完了したのかなど）を容易に認識することができる。また、ここでは、複数枚の画像のうちの１枚の画像の送信中においても、送信の進行程度を反映させてその１枚の画像の表示状態を部分的に変更しているので、その１枚の画像データの送信の進行程度をも容易に把握することができる。
【００８９】
次に、受信側のパーソナルコンピュータＰＣ１における表示動作について説明する。
【００９０】
図３０〜図３３に示すように、パーソナルコンピュータＰＣ１は、画像受信中において、サムネイル画像データに基づく画像をディスプレイ６５に表示する。このサムネイル画像データは、受信中のフルサイズ画像と同一の画像を表現する画像データである。操作者は、ディスプレイ６５の表示内容を見ることによって、現在受信している画像がいずれの画像なのかを容易に認識できる。
【００９１】
パーソナルコンピュータＰＣ１は、ステップＳＰ１３３における受信内容に基づいて、受信対象となる画像が９枚であることを認識すると、図３０に示すように、９枚分の画像表示領域を確保して各画像表示領域に「転送中」の文字（あるいは「受信中」などの文字であっても良い）を表示する。この状態においては、画像そのものは未だ表示されていない。
【００９２】
その後、時間の経過とともに受信完了度ＤＲが増大していくと、各時点の受信完了度ＤＲに応じて画像の表示の有無が部分的に変更されていく。具体的には、受信が完了した割合に相当する部分が徐々にディスプレイ６５に現れてくる。
【００９３】
たとえば、受信完了度ＤＲが約２５％程度となり、９枚の画像Ｇ１〜Ｇ９のうち３枚目の画像Ｇ３の半分程度までの受信が完了してるときには、図３１に示すように、受信が完了した２枚の画像Ｇ１，Ｇ２についてはそれぞれの画像が表示される。また、３枚目の画像Ｇ３については、その受信の進行程度に応じて画像表示の有無が部分的に変更される。ここでは、３枚目の画像Ｇ３の上半分が表示されており、３枚目の画像Ｇ３の下半分が未だ表示されていない状態が示されている。なお、４枚目以降の画像は、未だ受信されていないので、対応する画像は表示されていない。
【００９４】
その後、さらに受信完了度ＤＲが増大して受信完了度ＤＲが約９５％になり、９枚の画像Ｇ１〜Ｇ９のうち８枚の画像Ｇ１〜Ｇ８の受信が完了しかつ９枚目の画像Ｇ９の半分程度までの受信が完了しているときには、図３２に示すように、受信が完了した８枚の画像Ｇ１〜Ｇ８についてはそれぞれの画像が表示される。また、９枚目の画像Ｇ９は、その上半分が表示されており、その下半分が未だ表示されていない状態になっている。
【００９５】
そして、受信完了度ＤＲが１００％に到達し画像の転送が完全に終了すると、図３３に示すように、ディスプレイ６５において、９枚全ての画像Ｇ１〜Ｇ９が表示されるとともに、画面全体にわたって「すべての受信が終了しました」という文字が転送済表示として表示される。
【００９６】
以上のように、受信中の画像の表示状態が受信完了度ＤＲに応じて部分的に変更されるので、操作者は受信の進行程度を容易に把握することが可能である。特に、ディスプレイ６５における表示は、受信が完了した割合に相当する部分の画像が徐々に消えていくようなものであるので、直感的にわかりやすいものとなっている。また、実際に受信対象となる画像がディスプレイ６５に表示されているので、いずれの画像が受信されているのかを容易に認識できる。さらには、複数枚の画像のうち、実際に受信が完了した部分の表示が消去されるので、どの部分の受信動作が終了したのか（たとえば、何番目までの画像データの受信が完了したのかなど）を容易に認識することができる。また、ここでは、複数枚の画像のうちの１枚の画像の受信中においても、受信の進行程度を反映させてその１枚の画像の表示状態を部分的に変更しているので、その１枚の画像データの受信の進行程度をも容易に把握することができる。
【００９７】
なお、この第３実施形態においては、複数枚の画像の通信中（送信中ないし受信中）において、所定のデータ量の転送が終了する毎に表示状態を更新する場合について説明したが、これに限定されない。たとえば、複数枚の画像の送信中（ないし受信中）において、１枚の画像の通信（送信ないし受信）が終了する毎に各表示部（液晶モニタ１７あるいはディスプレイ６５）における表示状態を更新するようにしても良い。これによれば、表示制御を簡略化することができる。
【００９８】
＜Ｄ．第４実施形態＞
上記各実施形態においては、静止画像データの送信および受信について説明したが、本発明は動画像データの送信および受信に対しても適用できる。
【００９９】
この第４実施形態においては、動画像データの送受信を行う場合について説明する。
【０１００】
具体的には、動画像データの中から複数枚の静止画像を所定の手法に基づいて抽出し、この静止画像を利用して通信の進行程度を表現する。
【０１０１】
図３４〜図３６は、送信側のデジタルカメラ１の液晶モニタ１７における表示画面を示す図であり、図３７〜図３９は、受信側のパーソナルコンピュータＰＣ１のディスプレイ６５における表示画面を示す図である。
【０１０２】
デジタルカメラ１は、動画像データから複数枚の静止画像を抽出する。これらの静止画像は、具体的には、所定のシーン判別技術によって抽出したシーン毎の代表画像である。あるいは、所定の時間間隔（たとえば１分毎）で複数の静止画像を抽出するようにしても良い。
【０１０３】
ここでは、４枚の静止画像が抽出された場合を例示する。各静止画像は、全体の２５％ずつのデータ量を表現するものとして利用される。
【０１０４】
図３４に示すように、送信側のデジタルカメラ１の液晶モニタ１７において、４枚の静止画像は、少しずつずらされて重ねられた状態で表示されている。そして、最初は、４つの静止画像のすべてが表示されている。
【０１０５】
その後、時間の経過とともに送信完了度ＳＲが増大していくと、各時点の送信完了度ＳＲに応じて画像の表示状態が部分的に変更されていく。ここでは、送信が完了した割合に相当する部分の画像表示が消滅していくものとする。
【０１０６】
たとえば、送信完了度ＳＲが１／８程度にまで進行したときには、最も上側の１枚目の静止画像のうち上半分の画像表示が消去されるとともに、画像が消去された領域は所定の色（ここでは灰色）で塗りつぶされる。
【０１０７】
また、送信完了度ＳＲが５０％程度に至ったときには、図３５に示すように、４枚のうち、１枚目および２枚目の２枚の静止画像についてはそれぞれの画像表示が消去され、画像が表示されていた領域は灰色で塗りつぶされる。また、３枚目および４枚目の２枚の静止画像についてはそれぞれの画像表示が維持される。
【０１０８】
そして、送信完了度ＳＲが１００％に到達し画像の転送が完全に終了すると、図３６に示すように、液晶モニタ１７において、４枚全ての静止画像について各画像表示が消去され、画像が表示されていた領域は灰色で塗りつぶされるとともに、「すべての転送が終了しました」という文字が転送済表示として表示される。
【０１０９】
以上のように、送信中の画像の表示状態が動画像データの送信完了度ＳＲに応じて部分的に変更されるので、操作者は送信動作の進行程度を容易に把握することが可能である。
【０１１０】
次に受信側のパーソナルコンピュータＰＣ１のディスプレイ６５について説明する。
【０１１１】
図３７に示すように、ディスプレイ６５においては、４枚の静止画像は、少しずつずらされて重ねられた状態で表示されている。そして、最初は、４つの静止画像については、各静止画像に対応する画像枠は示されているものの、静止画像自体はいずれも表示されていない。また、ここでは、画像枠内の領域は、所定の色（たとえば灰色）で塗りつぶされているものとする。
【０１１２】
その後、時間の経過とともに受信完了度ＤＲが増大していくと、各時点の受信完了度ＤＲに応じて画像の表示状態が部分的に変更されていく。ここでは、受信が完了した割合に相当する部分の画像表示が徐々に表示されていくものとする。
【０１１３】
たとえば、受信完了度ＤＲが１／８程度にまで進行したときには、最も上側の１枚目の静止画像のうち上半分において画像が表示される。
【０１１４】
また、受信完了度ＤＲが５０％程度に至ったときには、図３８に示すように、４枚のうち、１枚目および２枚目の２枚の静止画像についてはそれぞれの画像が表示されるとともに、３枚目および４枚目の２枚の静止画像についてはそれぞれの画像は未だ表示されていない。
【０１１５】
そして、受信完了度ＤＲが１００％に到達し画像の転送が完全に終了すると、図３９に示すように、ディスプレイ６５において、「すべての受信が終了しました」という文字が転送済表示として表示される。
【０１１６】
以上のように、受信中の画像の表示状態が動画像データの受信完了度ＤＲに応じて部分的に変更されるので、操作者は受信動作の進行程度を容易に把握することが可能である。
【０１１７】
なお、この第４実施形態においては、動画データから抽出された代表的な複数の静止画像を重ねて表示する場合を例示したが、これに限定されない。たとえば、これらの複数の静止画像を、第３実施形態（図２６〜図３３）のように、液晶モニタ１７および／またはディスプレイ６５上において重ならないように配列して表示するようにしてもよい。
【０１１８】
＜Ｅ．第５実施形態＞
上記においては、１枚の静止画像データを送受信する場合（第１実施形態および第２実施形態）、複数枚の画像データを送受信する場合（第３実施形態）、１つの動画像データを送受信する場合（第４実施形態）のそれぞれについて説明してきた。この第５実施形態においては、これらの全ての種類の画像データを送受信することが可能な画像通信システムについて説明する。
【０１１９】
具体的には、画像送信装置（デジタルカメラ１）は、送信に先立って、送信対象の画像データが静止画像データであるかそれとも動画像データであるかについての情報、すなわち画像データの種別についての情報（種別情報）を取得する。また、同時に、画像送信装置と画像受信装置との間で一括して送受信される一連の画像データの個数（言い換えれば、送受信の対象となる「画像データ群」に含まれる画像データの個数）についての情報（個数情報）をも取得する。
【０１２０】
そして、デジタルカメラ１は、このような情報（具体的には、画像データの種別および画像データの個数についての情報）に応じて、液晶モニタ１７上での表示に用いるべき表示形式を選択して決定し、決定された表示形式に基づいてその画像を表示する。たとえば、１枚の静止画像データが転送対象であると認識されるときには、第１実施形態のような表示形式、より具体的には、図８〜図１１に示すような表示形式を用いて液晶モニタ１７における表示を行う。あるいは、複数枚の静止画像データが転送対象であると認識されるときには、第３実施形態のような表示形式、より具体的には、図２６〜図２９に示すような表示形式を用いて液晶モニタ１７における表示を行う。また、１つの動画データが転送対象であると認識されるときには、第４実施形態のような表示形式、より具体的には、図３４〜図３６に示すような表示形式を用いて液晶モニタ１７における表示を行う。さらに、複数の動画データが転送対象であると認識されるときには、たとえば、図３４に示すような表示を転送対象の動画データの数に応じた個数だけ横方向（および／または縦方向）に配列させた表示形式を用いて液晶モニタ１７における表示を行う。
【０１２１】
また、受信側装置においても同様の動作が行われる。具体的には、画像受信装置（パーソナルコンピュータＰＣ１）は、受信に先立って、受信対象の画像データが静止画像データであるかそれとも動画像データであるかについての情報、すなわち画像データの種別についての情報（種別情報）を取得する。また、同時に、画像送信装置と画像受信装置との間で一括して送受信される一連の画像データの個数についての情報（個数情報）をも取得する。
【０１２２】
そして、パーソナルコンピュータＰＣ１は、このような情報（具体的には、画像データの種別および画像データの個数についての情報）に応じて、ディスプレイ６５上での表示に用いるべき表示形式を決定し、決定された表示形式に基づいてその画像を表示する。たとえば、１枚の静止画像データが転送対象であると認識されるときには、第１実施形態のような表示形式、より具体的には、図１２〜図１５に示すような表示形式を用いてディスプレイ６５における表示を行う。あるいは、複数枚の静止画像データが転送対象であると認識されるときには、第３実施形態のような表示形式、より具体的には、図３０〜図３３に示すような表示形式を用いてディスプレイ６５における表示を行う。また、１つの動画データが転送対象であると認識されるときには、第４実施形態のような表示形式、より具体的には、図３７〜図３９に示すような表示形式を用いてディスプレイ６５における表示を行う。さらに、複数の動画データが転送対象であると認識されるときには、たとえば、図３７に示すような表示を転送対象の動画データの数に応じた個数だけ横方向（および／または縦方向）に配列させた表示形式を用いてディスプレイ６５における表示を行う。
【０１２３】
図４０は、このような動作の一例を示すフローチャートである。
【０１２４】
デジタルカメラ１は、ステップＳＰ２２において表示形式の選択を行う。たとえば、１枚の静止画像データが転送対象であると認識されるときには、図８〜図１１に示すような表示形式を選択する。その後、デジタルカメラ１は、ステップＳＰ１９において、その表示形式を用いて液晶モニタ１７における表示を行う。また、デジタルカメラ１は、ステップＳＰ２２において、表示形式決定のための情報（具体的には、画像データの種別情報および個数情報）をパーソナルコンピュータＰＣ１に向けて送信する。
【０１２５】
一方、パーソナルコンピュータＰＣ１は、受信した情報（画像データの種別情報および個数情報）に基づいて表示形式の選択を行う（ステップＳＰ３９）。たとえば、１枚の静止画像データが転送対象であると認識されるときには、図１２〜図１５に示すような表示形式を選択する。そして、ステップＳＰ３６において、その表示形式を用いてディスプレイ６５における表示を行う。
【０１２６】
なお、ステップＳＰ１７の「送信中」表示およびステップＳＰ３４の「受信中」表示は必ずしも行うことを要しない。たとえば、複数枚の静止画像データが転送対象であるとき、および動画像データが転送対象であるときには、ステップＳＰ１７の「送信中」表示およびステップＳＰ３４の「受信中」表示を行わないことによって、図２６〜図３９に示すような態様の表示を行うことができる。
【０１２７】
この第５実施形態によれば、送受信の対象となる画像データの種別に応じて、各表示部（液晶モニタ１７ないしディスプレイ６５）における表示形式が選択されて決定されるので、送受信対象の画像データがどのような種類のデータであるか、およびその個数などを直感的に把握しやすいという利点がある。さらには、送受信の対象となる画像データの個数に応じて、各表示部（液晶モニタ１７ないしディスプレイ６５）における表示形式が選択されて決定されるので、送受信対象の画像データの個数を直感的に把握しやすいという利点がある。
【０１２８】
＜Ｆ．第６実施形態＞
この第６実施形態においては、第１実施形態の変形例であり、画像データの全転送時間に応じて、表示モードを切り替える場合について説明する。
【０１２９】
この第６実施形態においては、第１実施形態における図７の動作の代わりに図４１の動作を行う。具体的には、図４１に示すように、ステップＳＰ１７以降の送信動作等に先立って、ステップＳＰ１６の直後のステップＳＰ２３において、画像データの全転送時間に応じた表示モードを選択する動作を行う。
【０１３０】
図４２は、ステップＳＰ２３における詳細動作を示すフローチャートである。まず、ステップＳＰ５１において、画像送信装置としてのデジタルカメラ１は、受信側装置（パーソナルコンピュータＰＣ１）との間でのネットワークを介した転送における転送レート情報を取得する。転送レートとしては、転送路における理論上の値を用いることが可能である他、転送路における実際の転送レートを用いることも可能である。たとえば、後者としては、比較的小さなサイズの計測用ファイルをデジタルカメラ１からパーソナルコンピュータＰＣ１へと実際に転送し、その転送に要した時間に基づいてその転送路における実際の転送レート（実効転送レート）を計測するようにすればよい。
【０１３１】
その後、ステップＳＰ５２において、デジタルカメラ１は、フルサイズ画像データを送信するのに要する全転送時間を、転送レートに基づいて推定する。具体的には、ステップＳＰ１１で算出したフルサイズ画像データのデータサイズを、ステップＳＰ５１で算出した転送レートで除することによって、全転送時間を算出することができる。
【０１３２】
そして、デジタルカメラ１は、この全転送時間に応じた分岐処理（ステップＳＰ５３，ＳＰ５４，ＳＰ５５）を行うことにより、表示モードを決定する。ここでは、４つの表示モードＭ１，Ｍ２，Ｍ３，Ｍ４の中から、転送時間（全転送時間）に応じた表示モードが選択される。
【０１３３】
具体的には、転送時間が１０秒以内の場合には、ステップＳＰ６１に進んで表示モードＭ１が選択される。また、転送時間が１０秒よりも長く且つ１分以内である場合には、ステップＳＰ６２に進んで表示モードＭ２が選択される。さらに、転送時間が１分よりも長く且つ５分以内である場合には、ステップＳＰ６３に進んで表示モードＭ３が選択され、転送時間が５分よりも長い場合には、ステップＳＰ６４に進んで表示モードＭ４が選択される。
【０１３４】
表示モードＭ２，Ｍ３，Ｍ４は、第１実施形態で詳述したような、部分的な表示変更を行うモードであるが、表示モードＭ１は、そのような部分的な表示変更を行わないモードである。
【０１３５】
また、表示モードＭ２においては表示枠Ｆ（図８等を参照）の色が青色に設定され、表示モードＭ３においては表示枠Ｆの色が黄色に設定され、表示モードＭ４においては表示枠Ｆの色が赤色に設定される。このように、表示枠Ｆの色は、その全転送時間の長さに応じて複数の色の中から選択的に決定される。
【０１３６】
そして、このような表示モードの設定に従って、ステップＳＰ１７以降の処理が行われる。
【０１３７】
ただし、表示モードＭ１が選択された場合には、ステップＳＰ１９においては、表示画面は変更されない。より具体的には、転送対象画像に対応するサムネイル画像データが液晶モニタ１７上に常に表示された状態となる。これは、表示モードＭ１が選択される程度に転送時間が短い場合には、転送状況を把握する必要性が少ないと判断されるからである。また、表示変更を行わないことにより、表示変更に必要な負荷を削減できるので、より迅速に転送動作を完了することができる。
【０１３８】
一方、表示モードＭ２，Ｍ３，Ｍ４が選択された場合には、ステップＳＰ１９における表示変更が行われる。この場合には、転送時間が比較的長いので、転送状況を把握する必要性が高いと判断されるからである。具体的には、上述したように、送信中の画像の表示状態が送信完了度ＳＲに応じて部分的に変更される（図８〜図１１等を参照）。
【０１３９】
また、表示モードＭ２，Ｍ３，Ｍ４においては、全転送時間に応じて表示枠の色が異なっている。したがって、操作者は、表示枠Ｆの色を見ることによって、画像データの転送に要する時間を知ることができる。たとえば、表示枠の色が赤色のときには、画像の転送に長い時間がかかることを容易に理解することができる。この場合、操作者は、たとえば、別の場所で別の作業を行うこと、あるいは、この送信動作自体を中止すことなど、その後の対応を決定することが可能になる。
【０１４０】
また、受信側のパーソナルコンピュータＰＣ１においても同様の動作が行われる。具体的には、図４１に示すように、ステップＳＰ３４以降の受信動作等に先立って、ステップＳＰ３３の直後のステップＳＰ４０において、画像データの全転送時間に応じた表示モードを選択する動作を行う。ステップＳＰ４０の動作は、ステップＳＰ２３の動作と同様である。ただし、パーソナルコンピュータＰＣ１は、ステップＳＰ３３で受信したデータサイズＳＴを、ステップＳＰ４０で求めた転送レートで除することによって、全転送時間を算出することになる。これにより、受信側のパーソナルコンピュータＰＣ１においても、同様の効果を得ることができる。
【０１４１】
なお、この第６実施形態においては、全転送時間に応じた表示モードによる標示が行われる場合について説明したが、これに限定されない。たとえば、残り転送時間に応じた表示モードによる表示を行うようにしてもよい。
【０１４２】
具体的には、図４１のステップＳＰ１９において、残り転送時間（＝未転送データサイズ／転送レート）を算出し、その残り転送時間に応じて表示モードＭ１からＭ４のいずれかを選択し、選択した表示モードに応じた表示を行うようにすれば良い。また、残り転送時間の算出用の転送レートとしては、上記と同様にステップＳＰ２３中のステップＳＰ５１で求めた転送レートの値を利用しても良いが、ステップＳＰ１９等において時々刻々と変化する値として算出された転送レートの値を利用するようにしても良い。
【０１４３】
受信側の装置においても同様である。図４１のステップＳＰ３６において、残り転送時間を算出し、その残り転送時間に応じた表示モードに基づく表示を行えばよい。これにより、残り時間に応じた表示モードによる表示が行われるので、操作者は、残り転送時間をより直感的に把握することができる。
【０１４４】
また、この第６実施形態においては、転送時間に応じて表示枠Ｆの色を変更する場合について説明したが、これに限定されず、様々な表示を採用することができる。たとえば、画像データに基づく画像の下側にカラーバーを設けるようにしても良い。
【０１４５】
＜Ｇ．その他＞
上記各実施形態においては、デジタルカメラ１を送信側装置（画像送信装置）とし、パーソナルコンピュータＰＣ１を受信側装置（画像受信装置）とする場合について説明したがこれに限定されない。たとえば、逆にパーソナルコンピュータＰＣ１を送信側装置とし、デジタルカメラ１を受信側装置としてもよい。また、上述したように、送信側装置および受信側装置は、これらのデジタルカメラ１およびパーソナルコンピュータＰＣ１に限定されず、それぞれ、様々な種類の機器であってもよい。
【０１４６】
また、受信側装置における表示部は、その装置内に一体化して設けられている必要はない。たとえば、受信側装置としてのセットトップボックスＳＴＢは、上述のような表示動作を行うような表示出力信号を生成し、本体とは別個に設けられたＴＶモニタに対して、その生成された表示出力信号を出力するようにしても良い。
【０１５５】
【発明の効果】
以上のように、請求項１から請求項６に記載の発明によれば、ネットワークを介した画像データの受信の進行状態をわかりやすく表示することができる。
【図面の簡単な説明】
【図１】本発明に係る画像通信システムを含む構成図である。
【図２】デジタルカメラ１の斜視図である。
【図３】デジタルカメラ１の背面図である。
【図４】デジタルカメラ１の機能ブロック図である。
【図５】パーソナルコンピュータＰＣ１のハードウエア構成を示すブロック図である。
【図６】送信側のデジタルカメラ１における動作を示すフローチャートである。
【図７】送信側および受信側装置の送受信動作を示すフローチャートである。
【図８】デジタルカメラ１の液晶モニタ１７における表示画面を示す図である。
【図９】液晶モニタ１７における表示画面を示す図である。
【図１０】液晶モニタ１７における表示画面を示す図である。
【図１１】液晶モニタ１７における表示画面を示す図である。
【図１２】パーソナルコンピュータＰＣ１のディスプレイ６５における表示画面を示す図である。
【図１３】ディスプレイ６５における表示画面を示す図である。
【図１４】ディスプレイ６５における表示画面を示す図である。
【図１５】ディスプレイ６５における表示画面を示す図である。
【図１６】第２実施形態に係る送信装置における表示状態を示す図である。
【図１７】第２実施形態に係る送信装置における表示状態を示す図である。
【図１８】第２実施形態に係る送信装置における表示状態を示す図である。
【図１９】第２実施形態に係る送信装置における表示状態を示す図である。
【図２０】第２実施形態に係る受信装置における表示状態を示す図である。
【図２１】第２実施形態に係る受信装置における表示状態を示す図である。
【図２２】第２実施形態に係る受信装置における表示状態を示す図である。
【図２３】第２実施形態に係る受信装置における表示状態を示す図である。
【図２４】第３実施形態に係る動作を示すフローチャートである。
【図２５】送信装置および受信装置の送受信動作を示すフローチャートである。
【図２６】第３実施形態に係る送信装置における表示状態を示す図である。
【図２７】送信装置における表示状態を示す図である。
【図２８】送信装置における表示状態を示す図である。
【図２９】送信装置における表示状態を示す図である。
【図３０】第３実施形態に係る受信装置における表示状態を示す図である。
【図３１】受信装置における表示状態を示す図である。
【図３２】受信装置における表示状態を示す図である。
【図３３】受信装置における表示状態を示す図である。
【図３４】第４実施形態に係る送信装置における表示状態を示す図である。
【図３５】送信装置における表示状態を示す図である。
【図３６】送信装置における表示状態を示す図である。
【図３７】第４実施形態に係る受信装置における表示状態を示す図である。
【図３８】受信装置における表示状態を示す図である。
【図３９】受信装置における表示状態を示す図である。
【図４０】第５実施形態に係る送受信動作を示すフローチャートである。
【図４１】第６実施形態に係る送受信動作を示すフローチャートである。
【図４２】第６実施形態に係る動作の一部を示すフローチャートである。
【符号の説明】
１  デジタルカメラ
３  レリーズボタン
８  ネットワーク接続用インターフェイス
９  メモリカード
１１  撮影レンズ
１７  液晶モニタ
Ｇ１〜Ｇ９  画像
ＮＷ  ネットワーク
ＰＣ１  パーソナルコンピュータ
【図１】
0003626147.tif 000002
【図２】
0003626147.tif 000003
【図３】
0003626147.tif 000004
【図４】
0003626147.tif 000005
【図５】
0003626147.tif 000006
【図６】
0003626147.tif 000007
【図７】
0003626147.tif 000008
【図８】
0003626147.tif 000009
【図９】
0003626147.tif 000010
【図１０】
0003626147.tif 000011
【図１１】
0003626147.tif 000012
【図１２】
0003626147.tif 000013
【図１３】
0003626147.tif 000014
【図１４】
0003626147.tif 000015
【図１５】
0003626147.tif 000016
【図１６】
0003626147.tif 000017
【図１７】
0003626147.tif 000018
【図１８】
0003626147.tif 000019
【図１９】
0003626147.tif 000020
【図２０】
0003626147.tif 000021
【図２１】
0003626147.tif 000022
【図２２】
0003626147.tif 000023
【図２３】
0003626147.tif 000024
【図２４】
0003626147.tif 000025
【図２５】
0003626147.tif 000026
【図２６】
0003626147.tif 000027
【図２７】
0003626147.tif 000028
【図２８】
0003626147.tif 000029
【図２９】
0003626147.tif 000030
【図３０】
0003626147.tif 000031
【図３１】
0003626147.tif 000032
【図３２】
0003626147.tif 000033
【図３３】
0003626147.tif 000034
【図３４】
0003626147.tif 000035
【図３５】
0003626147.tif 000036
【図３６】
0003626147.tif 000037
【図３７】
0003626147.tif 000038
【図３８】
0003626147.tif 000039
【図３９】
0003626147.tif 000040
【図４０】
0003626147.tif 000041
【図４１】
0003626147.tif 000042
【図４２】
0003626147.tif 000043